【事件の表示】
　特願２０１６−　１３４３５号「遊技機」拒絶査定不服審判事件〔平成２９年　８月　３日出願公開、特開２０１７−１３１３８０号〕について、次のとおり審決する。
【結　論】
　本件審判の請求は、成り立たない。
【理　由】
第１　手続の経緯
　本願は、平成２８年１月２７日の出願であって、同年１０月２５日付けで拒絶の理由が通知され、同年１２月２０日に意見書及び手続補正書が提出され、平成２９年５月９日付けで最後の拒絶の理由が通知され、同年７月６日に意見書及び手続補正書が提出されたところ、同年１１月２日付けで、同年７月６日付け手続補正でした補正の却下の決定がなされるとともに拒絶査定（以下「原査定」という。）がなされ、それに対して、平成３０年２月５日に拒絶査定不服審判の請求がなされると同時に手続補正がなされたものである。
第２　平成３０年２月５日付け手続補正についての補正の却下の決定
〔補正の却下の決定の結論〕
　平成３０年２月５日付け手続補正についての補正（以下「本件補正」という。）を却下する。
　
〔理由〕
１　本件補正の内容
（１）本件補正は、特許請求の範囲についてする補正を含むものであって、平成２８年１２月２０日付け手続補正によって補正された本件補正前の請求項１に、
「表示手段と、
　操作検出手段と、
　演出メッセー
ジ表示領域を
設定
ジ表示領域を設定
に前
ジ表示領域に重
表示領域を設定
　
遊
を表示する操作促進画像表示領域を前
設定
像表示領域を設定
に前
で前記操作促進画像表示領域に重ねて前記エラーメッセージ表示領域を設定する
　を含む遊技機。」とあったものを、
　
「表示手段と、
　操作検出手段と、
　演出メッセー
ジを
表示
ジを表示
に前記演出メッセージがエラーメッセージの視認性を妨げない状態となるように前
ジに前記エラーメッセージを重
表示
　
前記演出メッセージとして遊
を前
表示
像を表示
に、前
としつつ前記操作促進画像が前記エラーメッセージの視認性を妨げない状態となるように前記操作促進画像の前面側に前記エラーメッセージを重ねて表示する
　を含む遊技機。」とする補正を含むものである（下線は、補正前後の箇所を明示するために合議体が付した。）。
　
（２）本件補正後の請求項１に係る上記（１）の補正は、次の補正事項からなる。
　ア　本件補正前の請求項１に係る発明を特定するために必要な事項である「演出メッセージ表示領域」を「演出メッセージ」とする補正。
　イ　本件補正前の請求項１に係る発明を特定するために必要な事項である「エラーメッセージ表示領域」を「エラーメッセージ」とする補正。
　ウ　本件補正前の請求項１に「演出メッセージ表示領域」又は「エラーメッセージ表示領域」を「表示手段」に「設定」していたものから、「演出メッセージ」又は「エラーメッセージ」を「表示手段」に「表示」するとする補正。
　エ　本件補正前の請求項１に「所定のエラーを検出した場合に前記演出メッセージ表示領域に重ねてエラーメッセージ表示領域を設定」とあったものを、「所定のエラーを検出した場合に前記演出メッセージがエラーメッセージの視認性を妨げない状態となるように前記演出メッセージに前記エラーメッセージを重ねて表示」とする補正。
　オ　本件補正前の請求項１に「遊技者に対し前記操作検出手段の操作を促す操作促進画像を表示する操作促進画像表示領域を前記表示手段に設定」とあったものを、「前記演出メッセージとして遊技者に対し前記操作検出手段の操作を促す操作促進画像を前記表示手段に表示」とする補正。
　カ　本件補正前の請求項１に「前記操作促進画像表示領域を設定しているときに前記所定のエラーを検出した場合に前記操作促進画像であることを認識可能な状態で前記操作促進画像表示領域に重ねて前記エラーメッセージ表示領域を設定する」とあったものを、「前記操作促進画像を表示しているときに前記所定のエラーを検出した場合に、前記操作促進画像であることを認識可能な状態としつつ前記操作促進画像が前記エラーメッセージの視認性を妨げない状態となるように前記操作促進画像の前面側に前記エラーメッセージを重ねて表示する」とする補正。
　
２　本件補正の目的
（１）ア　上記１（２）アないしウ、オの補正は、本件補正前における表示手段における表示内容を具体的に特定していないものから、願書に最初に添付された特許請求の範囲、明細書及び図面（以下「当初明細書等」という。）の【０９７２】ないし【０９８５】、図１４９等の記載に基づいて、表示手段による表示内容を「演出メッセージ」及び「エラーメッセージ」と、具体的に特定して限定するものである。
　イ　上記１（２）エの補正は、上記（ア）における限定に加えて、当初明細書等の【０９８２】、図１４９等の記載に基づいて、「演出メッセージにエラーメッセージを重ねて表示」すするのが「演出メッセージがエラーメッセージの視認性を妨げない状態となるように」と限定するものである。
　ウ　上記１（２）カの補正は、上記（ア）における限定に加えて、当初明細書等の【０９７９】、図１４９等の記載に基づいて、「操作促進画像の前面側にエラーメッセージを重ねて表示する」のが「前記操作促進画像であることを認識可能な状態としつつ前記操作促進画像が前記エラーメッセージの視認性を妨げない状態となるように」と限定するものである。
　
（２）以上のとおり、本件補正後の請求項１に係る上記１（２）の補正は、新規事項を追加するものではないから、特許法第１７条の２第３項に規定する要件を満たす。また、本件補正後の請求項１に係る上記１（２）の補正は、本件補正前の請求項１に係る発明を特定するために必要な事項を限定するものであって、産業上の利用分野及び解決しようとする課題が補正の前後において同一であるから、特許法第１７条の２第５項第２号に掲げる特許請求の範囲の減縮を目的とするものである。
　
３　独立特許要件について
　そこで、本件補正後の請求項１に係る発明（以下「本願補正発明」という。）が、特許出願の際独立して特許を受けることができるものであるか（特許法第１７条の２第６項において準用する同法第１２６条第７項の規定に適合するか）について以下検討する。
　
（１）本願補正発明
　本願補正発明を再掲すると、次のとおりのものである。なお、記号ＡないしＥは、分説するため合議体が付した。
　
「Ａ　表示手段と、
　Ｂ　操作検出手段と、
　Ｃ　演出メッセージを前記表示手段に表示し、前記演出メッセージを表示しているときに所定のエラーを検出した場合に前記演出メッセージがエラーメッセージの視認性を妨げない状態となるように前記演出メッセージに前記エラーメッセージを重ねて表示し、
　Ｄ　前記演出メッセージとして遊技者に対し前記操作検出手段の操作を促す操作促進画像を前記表示手段に表示し、前記操作促進画像を表示しているときに前記所定のエラーを検出した場合に、前記操作促進画像であることを認識可能な状態としつつ前記操作促進画像が前記エラーメッセージの視認性を妨げない状態となるように前記操作促進画像の前面側に前記エラーメッセージを重ねて表示する制御手段と、
　Ｅ　を含む遊技機。」
（２）引用例
　原査定の拒絶の理由に引用文献１として引用され、本願出願前に頒布され又は電気通信回線を通じて公衆に利用可能となった特開２０１５−８８４８号公報（平成２７年１月１９日出願公開、以下「引用例」という。）には、遊技台に関し、次の事項が図とともに記載されている（下線は引用発明等の認定に関連する箇所を明示するために合議体が付した。以下同様。）。
　ア　「【発明を実施するための形態】
【０００９】
  以下、図面を用いて、本発明の実施形態１に係る遊技台（例えば、パチンコ機１００等の弾球遊技機やスロット機等の回胴遊技機）について詳細に説明する。
【００１０】
  ＜全体構成＞
  まず、図１を用いて、本発明の実施形態１に係る
パチンコ機１００
【００１１】
  
パチンコ機１００
遊技盤２００
を
備える
　・・・略・・・
【００２１】
  図３は、遊技盤２００を正面から見た略示正面図である。
遊技盤２００には、
遊技領域１２４を
形成している
【００２２】
  
遊技領域１２４の略中央には、演出装置２０６を配設している。この演出装置２０６には、略中央に装飾図柄表示装置２０８を配設
　イ　「【図３】
」
　ウ　「【０２５４】
  ＜演出装置による演出（変動遊技の流れ）の一例＞
  遊技の興趣の向上を目的として、演出装置２０６（例えば、装飾図柄表示装置２０８や、演出可動体２２４など）による演出の多様化が図られている。一方で、パチンコ機１００では様々なエラーが起こりうる場合があり、演出装置２０６等を用いてエラーを報知することで、遊技者の不利益の防止や不正者の不正行為等の早期発見を促すようにしている。
【０２５５】
  しかしながら、エラー報知を過剰に行いすぎてしまうとエラー報知のみに注目が集まってしまい、演出への注目が低下してしまう問題点が指摘される。
【０２５６】
  本実施形態のパチンコ機１００は、演出に注目させることが可能な報知手段を有するものであり、以下これについて具体的に説明する。
【０２５７】
  まず、本実施形態の説明の前提として、図２１および図２２を参照して、エラーの報知を行っていない状態の、装飾図柄表示装置２０８による演出の一例について説明する。
【０２５８】
  装飾図柄表示装置２０８をはじめとする演出装置２０６では、情報に対応する報知を少なくとも実行可能である。情報とは例えば、遊技（デモ中の演出も含む）に関する情報やパチンコ機１００のエラーに関する情報である。」
　エ　「【０４２６】
  ＜実施例３＞
  図３３は、遊技中に重要度の高いエラーを報知する場合の演出の一例を時系列で示した概要図である。
【０４２７】
  図３３（ａ）に示すタイミングは、特図変動遊技において変動を停止した状態で、かつ、特図１変動遊技が４つ保留されている状態を示している。この状態では、主制御部３００は、図示しない第１特図表示装置２１２（または第２特図表示装置２１４）を用いて特図のはずれの停止表示を行うとともに、図示しない第１特図保留ランプ２１８を４つ点灯することで、特図１変動遊技の保留数が４であることを報知する。
【０４２８】
  また、第２副制御部５００は、特図の停止表示に合わせて、装飾図柄表示装置２０８の左図柄表示領域２０８ａ、中図柄表示領域２０８ｂ、右図柄表示領域２０８ｃを用いて、はずれに対応する装飾図柄の図柄組合せ（この例では、「装飾２−装飾７−装飾３」）を停止表示するとともに、特図１保留表示領域２０８ｄ１に、通常保留の保留アイコンＰＩ１〜ＰＩ４を表示することで、特図１変動遊技の保留数が４であることを報知する。また、特図１保留数表示領域２０８ｇ１には、特図１の保留数「４」を表示し、特図２保留数表示領域２０８ｇ２には、特図２の保留数「０」を表示している。
【０４２９】
  図３３（ｂ）に示すタイミングは、同図（ａ）の保留アイコンＰＩ１＿１の消化による特図１変動遊技が実行中で、かつ、特図１変動遊技の保留が３になった状態を示している。特図１変動遊技の実行中の状態では、主制御部３００は、特図１表示装置２１２を用いて特図１の変動表示を開始するとともに、図示しない第１特図保留ランプ２１８を３つ点灯して、特図１変動遊技の保留数が３であることを報知する。また、第２副制御部５００は、特図１用の第４図柄表示領域２０８ｆ１を点滅表示して変動中であることを報知し、図柄表示領域２０８ａ〜２０８ｃに、装飾図柄の変動表示を実行している。またこの状態では、第２副制御部５００は、実行中（消化中）の特図変動遊技に対応する変動アイコンＣＩを、変動表示領域２０８ｄ３に表示し、特図１保留表示領域２０８ｄ１に、保留アイコンＰＩ１＿１〜ＰＩ１＿３を表示する。さらに、特図１保留数表示領域２０８ｇ１には、特図１の保留数「３」を表示し、特図２保留数表示領域２０８ｇ２には、特図２の保留数「０」を表示している。
【０４３０】
  図３３（ｃ）に示すタイミングは、変動遊技中に振動センサーエラーが発生した状態を示している。
【０４３１】
  振動センサーエラーは、振動検知手段（各種センサ３２０に含まれる、振動検知センサ）が、閾値を超える振動を検出した場合に少なくともエラーと判定されるものである。このエラーは、不正者が遊技台をたたく等の行為をした場合に検出される可能性があるものであって、振動検知センサー自体が壊れていることをエラーとするものではない。
【０４３２】
  
第２副制御部５００は
振動エラー表示Ｅ２を行う
【０４３３】
  振動センサーエラーは、上述の如く不正行為との関連性が高く、エラー報知のうちでも重要度の高いエラーである。したがって、このような重要度の高いエラーを報知する場合には、遊技は停止される。また、重要度の高いエラーは、他の報知（第一の報知）によって視認困難とならないように、報知される（例えば、ここでは、装飾図柄表示装置２０８には、振動エラー表示Ｅ２以外の表示は行われていない）。
【０４３４】
  振動センサーエラー（重要度の高いエラー）は、店員等がエラー解除スイッチ１６８を操作することによって、解除可能である。換言すれば、エラー解除スイッチ１６８の操作を受付けるまでは、エラー解除が行われない。
【０４３５】
  図３３（ｄ）は、店員等が払出基板１７２に備えられているエラー解除スイッチ１６８を操作している状態を示している。このようにエラー解除スイッチ１６８が操作されることによって、振動センサーエラーは解除され、図３３（ｅ）に示すように、装飾図柄表示領域２０８に、エラーに関する表示（振動エラー解除表示Ｅ３）が表示される。
【０４３６】
  図３３（ｆ）に示すタイミングは、同図（ｂ）に示す変動遊技の演出表示が復帰した状態である。この状態では、振動センサーエラーが解除された直後であるので、変動遊技の演出表示に合わせて、引き続き、装飾図柄表示装置２０８のエラー情報報知領域２０８ｈに、エラー情報表示Ｅ（振動エラー解除表示Ｅ４）が表示される。図示のように、この場合の振動エラー解除表示Ｅ４は、図３３（ｅ）の振動エラー解除表示Ｅ３と異なる表示態様であってもよいし同じ表示態様であってもよい。
【０４３７】
  この場合、変動する装飾図柄（遊技に関する情報（変動中であるという情報）の報知）によって、エラーに関する情報の報知が遊技者に視認困難となっている。つまり、実施例３では、特図１の変動遊技中である情報（第一の情報）に対応する変動する装飾図柄が第一の報知であり、振動エラー解除表示Ｅ４が第三の報知である。また、特図１の変動遊技中である情報（第一の情報）を報知する、特図１用の第４図柄表示領域２０８ｆ１の点滅表示が、第二の報知となる。エラー解除情報の報知（振動エラー解除表示Ｅ４）は、重要度の低いエラーに関する情報の報知であるので、第一の報知によって遊技者に視認困難としても問題はなく、エラーの過剰な報知を防止することができる。また、エラー解除情報の報知中であっても、遊技は進行できる。
【０４３８】
  なお、実施例３において、図３３（ｅ）に示す振動エラー解除表示Ｅ３を行わず、同図（ｆ）の演出表示に復帰するものであってもよい。
【０４３９】
  このように、
相対的に重要度の高いエラー
の場合には
当該エラーの報知が遊技者
または店員
に視認容易となるように報知する
　オ　「【図３３】
」
　カ　「【０４４０】
  ＜実施例４＞
  図３４は、デモを含む遊技中において、エラーを報知する場合の演出の一例を時系列で示した概要図であり、ここではデモ中に、遊技者ごとの個別識別情報の設定モードが実行される場合を例に示す。
【０４４１】
  図３４（ａ）に示すタイミングは、特図１変動遊技が実行中で、かつ、特図１変動遊技、特図２変動遊技の保留がいずれも０の状態を示している。第２副制御部５００は、特図１用の第４図柄表示領域２０８ｆ１を点滅表示して変動中であることを報知するとともに図柄表示領域２０８ａ〜２０８ｃに、装飾図柄の変動表示を実行している。
【０４４２】
  図３４（ｂ）に示すタイミングは、特図１変動遊技の実行中に扉開放エラーが検出された状態を示す。
前面枠扉開放センサ１０６１によって前面枠扉１０６の開放が検出された場合、第２副制御部５００は、装飾図柄表示装置２０８
に、エラー情報表示Ｅ（扉開放エラー表示Ｅ５）を表示して
【０４４３】
  図３４（ｃ）に示すタイミングは、特図１変動遊技において変動を停止した状態を示している。この状態では、主制御部３００は、図示しない第１特図表示装置２１２を用いて特図のはずれの停止表示を行うとともに、第２副制御部５００は、特図の停止表示に合わせて、装飾図柄表示装置２０８の左図柄表示領域２０８ａ、中図柄表示領域２０８ｂ、右図柄表示領域２０８ｃを用いて、はずれに対応する装飾図柄の図柄組合せ（この例では、「装飾２−装飾７−装飾３」）を停止表示している。また、第２副制御部５００は（エラー解除条件が成立していないため）、エラー情報報知領域２０８ｈのエラー情報表示Ｅ（扉開放エラー表示Ｅ５）を継続する。
【０４４４】
  図３４（ｄ）に示すタイミングは、デモ演出を行っている状態を示す。エラー情報報知領域２０８ｈに表示されるエラーの重要度が低いため、エラー情報表示Ｅが表示中であっても、遊技（この場合、デモ演出）は停止せず、遊技が進行している。
【０４４５】
  また、この状態で
前面枠扉１０６等に設けられた個別識別情報設定ボタン７００
【０４４６】
  図３４（ｅ）に示すように、
デモ演出中に個別識別情報設定ボタン７００を操作すると、個別識別情報の設定モードに移行し、第2副制御部５００は
装飾図柄表示装置２０８
に、個別識別情報設定ボタン７００の操作を促す操作画像ＣＧを表示する
【０４４７】
  また第１副制御部４００は、これに合わせて個別識別情報設定ボタン７００も振動や発光などによってその態様を変化させ個別識別情報設定ボタン７００の操作を促す。
【０４４８】
  また、エラー情報報知領域２０８ｈのエラー情報表示Ｅ（扉開放エラー表示Ｅ５）は継続して表示されているため、
扉開放エラー表示Ｅ５は、個別識別情報設定ボタン７００の操作を促す操作画像と一部が重畳し、その視認が困難となっている
【０４４９】
  図３４（ｈ）に示すタイミングでは、扉開放エラーが解除された状態を示す。扉開放エラーの解除によって、扉開放エラー表示Ｅ５は消去され、操作ガイド表示領域７０４に個別識別情報設定ボタン７００の操作を促す操作画像が視認容易に表示される。
【０４５０】
  なお、本実施例において、同図（ｄ）のデモ表示のタイミングで、個別識別情報設定ボタン７００の操作を促す、当該ボタン自体の態様の変化（振動や発光など）を実行してもよい。
【０４５１】
  扉開放エラーが検出された場合は、例えば、遊技領域１２４内での球つまり等が発生している（球つまりを解消するために前面枠扉１０６を開放している）ことが想定され、遊技領域１２４が露出している恐れがある。しかし、個別識別情報の設定モードであれば、遊技球を不正に排出（払出）される危険性が少ないといえる。したがって、この場合に（扉開放エラーを重要度の低い第二のエラーとして）遊技（デモや個別識別情報設定モードへの移行）を継続可能とすることで、遊技者を待たせることなく、遊技者の持ち時間を有効活用できる場合がある。」
　キ　「【０７９３】
　また、本発明の実施の形態に記載された作用および効果は、本発明から生じる最も好適な作用および効果を列挙したに過ぎず、本発明による作用および効果は、本発明の実施の形態に記載されたものに限定されるものではない。また、実施例に記載した複数の構成のうち、１つの構成に記載している内容を、他の構成に適用することでより遊技の幅を広げられる場合がある。」
　ク　「【図３４】
」
　ケ　装飾図柄表示装置における演出表示を時系列で示した図３４（ｆ）及び（ｈ）（上記キ）の記載からみて、操作画像ＣＧには
「ＰＵＳＨ」と示され
　コ　上記アないしケからみて、引用例１には、【０７９３】（上記キ）の「１つの構成に記載している内容を、他の構成に適用する」と記載されており、この記載に基づき、実施例４に実施例３の構成を適用した実施態様として、次の発明が記載されている。なお、ａないしｅについては本願補正発明のＡないしＥに対応させて付与し、引用箇所の段落番号等を併記した。
「ａ　遊技盤２００に形成された遊技領域１２４の略中央に配設された演出装置２０６のさらにその略中央に配設された装飾図柄表示装置２０８と（【００２１】、【００２２】）、
　ｂ　前面枠扉１０６等に設けられた個別識別情報設定ボタン７００と（【０４４５】）、
　ｃ’、ｄ’　装飾図柄表示装置２０８に、前面枠扉開放センサ１０６１によって前面枠扉１０６の開放が検出された場合、エラー情報表示Ｅ（扉開放エラー表示Ｅ５）を表示し、デモ演出中に個別識別情報設定ボタン７００を操作すると、個別識別情報の設定モードに移行し、個別識別情報設定ボタン７００の操作を促す「ＰＵＳＨ」と示された操作画像ＣＧを表示し、扉開放エラー表示Ｅ５が、個別識別情報設定ボタン７００の操作を促す操作画像ＣＧと一部が重畳し、その視認を困難とし、操作画像ＣＧは認識可能とし、且つ、相対的に重要度の高いエラーの場合には、当該エラーの報知が遊技者または店員に視認容易となるように報知する、第２副制御部５００（【０４３２】、【０４３９】、【０４４２】、【０４４６】、【０４４８】）と、
　を備える、
　ｅ　パチンコ機１００。」（以下「引用発明」という。）
（３）対比
　ア　本願補正発明と引用発明とを対比する。なお、以下の見出し（ａ）ないし（ｅ）は、本願補正発明のＡないしＥに対応させている。
　（ａ）引用発明の「装飾図柄表示装置２０８」は、本願補正発明の「Ａ　表示手段」に相当する。
　（ｂ）引用発明の「個別識別情報設定ボタン７００」は、技術常識からみて、該ボタン７００の操作を検出する手段を備えることは明らかである。そうすると、引用発明は、本願補正発明の特定事項である「Ｂ　操作検出手段」を備えることは明らかである。
　（ｃ）引用発明の「操作画像ＣＧ」は、デモ演出中の操作により表示され、個別識別情報設定ボタン７００の操作を促すものであり、示された「ＰＵＳＨ」はメッセージということができるから、本願補正発明の「『演出メッセージ』又は『遊技者に対し操作検出手段の操作を促す操作促進画像』」に相当する。ちなみに、個別識別情報の設定表示が「演出」に相当することは、例えば特開２０１４−８７４３９号公報（特に【０２９１】の「メニュー演出（例えば、ユーザーメニュー表示の演出）」との記載や図３参照。）にみられるように当業者に知られていることである。
　また、引用発明の「扉開放エラー表示Ｅ５」は、本願補正発明の「エラーメッセージ」に相当する。
　そして、引用発明は、扉開放エラー表示Ｅ５（エラーメッセージ）が、技術常識からみて、扉開放のエラーを検出した場合に表示されることは明らかであり、個別識別情報設定ボタン７００の操作を促す操作画像ＣＧ（演出メッセージ）と一部が重畳しているから、引用発明の特定事項ｃ’、ｄ’と、本願補正発明の特定事項Ｃとは、「Ｃ’演出メッセージを前記表示手段に表示し、前記演出メッセージを表示しているときに所定のエラーを検出した場合に前記演出メッセージに前記エラーメッセージを重ねて表示し」ている点で一致する。
　
　（ｄ）引用発明は、扉開放エラー表示Ｅ５（エラーメッセージ）が、扉開放のエラーを検出した場合に表示されることは明らかであり、個別識別情報設定ボタン７００の操作を促す操作画像ＣＧ（操作促進画像）と一部が重畳し、操作画像ＣＧ（操作促進画像）は認識可能であるから、引用発明の特定事項ｃ’、ｄ’と、本願補正発明の特定事項Ｄとは、「Ｄ’前記演出メッセージとして遊技者に対し前記操作検出手段の操作を促す操作促進画像を前記表示手段に表示し、前記操作促進画像を表示しているときに前記所定のエラーを検出した場合に、前記操作促進画像であることを認識可能な状態となるように前記操作促進画像に前記エラーメッセージを重ねて表示する制御手段」である点で一致する。
　（ｅ）引用発明の「パチンコ機１００」は、本願補正発明の「遊技機」に相当する。
　
　イ　上記アからみて、本願補正発明と引用発明とは、
「Ａ　表示手段と、
　Ｂ　操作検出手段と、
　Ｃ’演出メッセージを前記表示手段に表示し、前記演出メッセージを表示しているときに所定のエラーを検出した場合に前記演出メッセージに前記エラーメッセージを重ねて表示し、
　Ｄ’前記演出メッセージとして遊技者に対し前記操作検出手段の操作を促す操作促進画像を前記表示手段に表示し、前記操作促進画像を表示しているときに前記所定のエラーを検出した場合に、前記操作促進画像であることを認識可能な状態となるように前記操作促進画像に前記エラーメッセージを重ねて表示する制御手段と、
　Ｅ　を含む遊技機。」である点で一致し、次の点で相違する。
　・相違点１（特定事項Ｃ）
　「前記演出メッセージに前記エラーメッセージを重ねて表示」することに関し、
　本願補正発明では、「前記演出メッセージがエラーメッセージの視認性を妨げない状態となるように」しているのに対し、
　引用発明では、そのような特定はない点。
　・相違点２（特定事項Ｄ）
　「前記エラーメッセージを重ねて表示する」ことに関し、
　本願補正発明では、「前記操作促進画像の前面側」であり、「前記操作促進画像であることを認識可能な状態としつつ前記操作促進画像が前記エラーメッセージの視認性を妨げない状態となるように」しているのに対し、
　引用発明では、そのような特定はない点。
（４）判断
　事案に鑑み、相違点１及び２についてまとめて検討する。
　ア　遊技機の表示手段において、エラー表示を最前のレイヤーで表示することは本願の出願前に周知（以下「周知技術１」という。例．平成２９年１１月２日付け補正の却下の決定で引用された特開２０１４−１１７５８２号公報（【０００１】、【０１１０】、図２１等には、最前面レイヤーは、エラー報知画像だけが表示される、システム用の表示層として構成されていることが記載されている。）、同補正の却下の決定で引用された特開２０１３−３４３号公報（【０００１】、【００８９】、図９等には、エラー表示２６０は、予告表示２６２より優先して表示されるため、予告表示２６２より上位のレイヤーに表示されて予告表示２６２の一部がエラー表示２６０に覆われて隠れる形となることが記載されている。）、特開２０１５−６６２９６号公報（【０００１】、【０２５２】ないし【０２５６】、図２３等には、球排出レバー１３２の操作を要求する操作要求報知はオーラ画像よりも手前のレイヤーに表示され、チャンスボタン１３６の長押し操作を要求する操作要求報知はオーラ画像よりも奥のレイヤーに表示されていることが記載されている。））である。
　イ　遊技機の表示手段において、エラー表示をその視認性を妨げないように他の演出画像の一部に重ねて表示することは本願の出願前に周知（以下「周知技術２」という。例．上記特開２０１３−３４３号公報（【０００１】、【００８９】、図９等には、エラー表示２６０は、予告表示２６２より優先して表示されるため、予告表示２６２より上位のレイヤーに表示されて予告表示２６２の一部がエラー表示２６０に覆われて隠れる形となり、エラー表示２６０を十分視認できることが記載されている。）、特開２０１３−９７１９号公報（【０００１】、【００４２】、図６等には、満杯エラー画像３１ａを演出画像３０と重ね合わせて表示し、前記満杯エラー画像３１ａと前記演出画像３０を十分視認できることが記載されている。）、特開２００５−３３４４５４号公報（【０００１】、【００５３】ないし【００５５】、図１等には、正常動作画面１１０の一部にエラー画面１２０を重ねて表示し、エラー画面１２０は十分視認できることが記載されている。））である。
　ウ　引用発明は、扉開放エラー表示Ｅ５については、個別識別情報設定ボタン７００の操作を促す操作画像ＣＧと一部が重畳して表示され、その視認が困難なものであるが、相対的に重要度の高いエラーの場合には、当該エラーの報知が遊技者に視認容易となるように報知するものである。そうすると、当業者であれば、エラーの重要度に応じて、エラー表示をどの程度まで視認容易とするかを試みるものである。他方で、上記イで周知技術２として示したように、エラー表示をその視認性を妨げないように他の演出画像の一部に重ねて表示することは周知であり、当該周知技術２に基づけば、引用発明において、エラーの重要性に応じて、対応するエラー表示（エラーメッセージ）をその視認性を妨げないように操作画像ＣＧ（演出メッセージ又は操作促進画像）の一部に重ねて表示することは当業者が適宜なし得たことである。そして、そもそも引用発明がエラー表示を操作画像ＣＧ（操作促進画像）に重ねた状態であっても操作画像ＣＧ（操作促進画像）を認識可能なように表示していることを考慮すれば、エラー表示（エラーメッセージ）の視認性を妨げない状態にしたからといって、操作画像ＣＧ（操作促進画像）を敢えて意識的に認識不可能とすることは考えにくいから、操作画像ＣＧ（操作促進画像）が認識可能としつつ、前述のようにエラー表示（エラーメッセージ）をその視認性を妨げないように操作画像ＣＧ（演出メッセージ又は操作促進画像）の一部に重ねて表示することは当業者が適宜なし得たことである。
　エ　上記アで示した周知技術１に基づけば、引用発明において、エラー表示（エラーメッセージ）を操作画像ＣＧ（操作促進画像）の「前面」に重ねるようになすことは当業者が適宜なし得たことである。
　オ　以上のとおりであるから、引用発明において、上記相違点１及び２に係る本願補正発明の特定事項のようになすことは、当業者が周知技術１及び２に基づいて容易に想到し得たことである。
　カ　本願補正発明の奏する効果は、引用発明の奏する効果、周知技術１及び２の奏する効果から予測することができた程度のものである。
　キ　審判請求人の主張について
　（ア）審判請求人は、審判請求書において、概略以下のとおり主張している。
「（３）本願発明が特許されるべき理由 
（ａ）本願発明の説明 
　本願発明は、・・・構成を備えることによりエラーメッセージと、操作促進画像を重畳した状態でもエラーメッセージの視認性を保つことができるという顕著な作用効果を奏するものである。 
　・・・略・・・
（ｃ）請求項１について
　・・・略・・・
　これに対して、引用文献１は、個別識別情報設定ボタン７００の操作を促す操作画像ＣＧを表示する操作ガイド表示領域７０４とエラー情報表示Ｅを表示する情報報知領域２０８ｈと、の一部が重畳することを開示する。 
　しかしながら、引用文献１は、エラー報知を過剰に行いすぎてしまうとエラー報知のみに注目が集まってしまい、演出への注目が低下してしまう問題を解決すべく（段落番号〔０２５５〕）、エラー報知を遊技情報の報知と一部重ねることでエラー報知の視認性を妨げる状態にしているものである。
　すなわち、引用文献１は、エラー報知を過剰に行いすぎることを課題にしてエラー報知の視認性を妨げるものであり、請求項１に記載の発明とはまったく異なる技術を開示するものである。
　したがって、引用文献１は、請求項１に記載の・・・を開示しない。
　また、請求項１に記載の発明と引用文献１に記載の発明とは、まったく異なるばかりか相反する技術思想を有するものであり、請求項１に記載の発明は、引用文献１に記載の発明から想到し得ない。
　したがって、このような引用文献１およびエラー表示を最前のレイヤーで表示する旨の記載がある引用文献２，３に基づいて、当業者が請求項１に記載の発明を容易に想到し得たとも考えられない。」
　
　（イ）しかしながら、上記（４）ウのとおり、引用発明は、相対的に重要度の高いエラー表示は遊技者に視認容易となるように報知しているものであるから、各周知技術を適用する動機があるものであり、審判請求人の主張を採用することはできない。
　
（５）独立特許要件のむすび
　以上のとおりであるから、本願補正発明は、当業者が引用例１に記載された発明、周知技術１及び２に基づいて容易に発明をすることができたものである。
　よって、本願補正発明は、特許法第２９条第２項の規定により特許出願の際独立して特許を受けることができないものである。
　
４　小括
　以上のとおり、本願補正発明は、特許出願の際独立して特許を受けることができないものであるから、本件補正は、特許法第１７条の２第６項において準用する同法第１２６条第７項の規定に違反するものである。
　したがって、本件補正は、同法第１２６条第７項の規定に違反するので、同法第１５９条第１項において読み替えて準用する同法第５３条第１項の規定により却下すべきものである。
　
第３　本願発明について
１　本願発明
　本件補正は上記第２のとおり却下されたので、本願の請求項１に係る発明は、平成２８年１２月２０日付けで補正された特許請求の範囲の請求項１に記載された事項によって特定されるものであるところ、そのうち請求項１に係る発明は、上記第２〔理由〕１（１）に本件補正前の請求項１として記載したとおりのものである。
　
２　原査定の理由の概略
　原査定の拒絶の理由は、以下を含むものである。
　（進歩性）この出願の平成２８年１２月２０日付け手続補正により補正された請求項１に係る発明は、その出願前に日本国内又は外国において、頒布され又は電気通信回線を通じて公衆に利用可能となった下記引用文献に記載された発明に基いて、その出願前にその発明の属する技術の分野における通常の知識を有する者が容易に発明をすることができたものであるから、特許法第２９条第２項の規定により特許を受けることができない。
　　　　　　　　　　　　　　　　　記
　引用文献１：特開２０１５−８８４８号公報
　
３　引用文献
　引用文献１（引用例１）の記載事項は、上記第２〔理由〕３（２）に記載したとおりである。
　
４　対比・判断
　本願補正発明は、上記「第２〔理由〕１（２）」のとおり、本願発明を特定するために必要な事項を限定したものである。
　そうすると、本願発明の構成要件をすべて含み、さらに限定したものに相当する本願補正発明が、上記「第２〔理由〕３」に記載したとおり、当業者が引用発明、周知技術１及び２に基づいて容易に発明をすることができたものであるから、本願発明も同様の理由により、当業者が引用発明、周知技術１及び２に基づいて容易に発明をすることができたものである。
５　むすび
　本願発明は、以上のとおり、当業者が引用例１に記載された発明、周知技術１及び２に基づいて容易に発明をすることができたものであるから、特許法第２９条第２項の規定により特許を受けることができない。
　よって、結論のとおり審決する。